(57)【要約】【構成】底部に透孔を有する生分解性プラスチック製外枠と、底部に透孔を有する生分解性プラスチック製内枠とを備え、前記生分解性プラスチック製外枠及び前記生分解性プラスチック製内枠の透孔を水溶性栓で塞ぎ、前記生分解性プラスチック製外枠内に前記生分解性プラスチック製内枠を培養土を介して嵌挿し、この生分解性プラスチック製内枠内に培養土を充填するとともにこの培養土に水草苗を植え、当該装置全体として水面に浮遊可能である湿原帯を再生し水質浄化能を回復させる水草定植装置である。【効果】水草苗を植えた素焼きの鉢を船等によって定植位置まで運ぶ必要がないため、定植作業に手間がかからない。この水草定植装置は一定期間後に分解するため、水草苗の根が広がりを妨げることはない。浅瀬を作ることにより、湿原帯を再生し、水質浄化能を回復させることができる。【選択図】          図１
2004173608.tif 000002
【特許請求の範囲】
【請求項１】
底部に透孔を有する生分解性プラスチック製外枠と、底部に透孔を有する生分解性プラスチック製内枠とを備え、前記生分解性プラスチック製外枠及び前記生分解性プラスチック製内枠の透孔を水溶性栓で塞ぎ、前記生分解性プラスチック製外枠内に前記生分解性プラスチック製内枠を培養土を介して嵌挿し、この生分解性プラスチック製内枠内に培養土を充填するとともにこの培養土に水草苗を植え、当該装置全体として水面に浮遊可能であることを特徴とする湿原帯を再生し水質浄化能を回復させる水草定植装置。
【請求項２】
請求項１の湿原帯を再生し水質浄化能を回復させる水草定植装置において、前記生分解性プラスチック製外枠内の培養土を乾燥培養土としたことを特徴とする湿原帯を再生し水質浄化能を回復させる水草定植装置。
【請求項３】
請求項２の湿原帯を再生し水質浄化能を回復させる水草定植装置において、前記生分解性プラスチック製外枠内における前記培養土の上方に培養土膨張空間を設けたことを特徴とする湿原帯を再生し水質浄化能を回復させる水草定植装置。
【請求項４】
請求項１の湿原帯を再生し水質浄化能を回復させる水草定植装置において、前記生分解性プラスチック製内枠内における前記培養土の表面に浮き上がり防止錘を配置したことを特徴とする湿原帯を再生し水質浄化能を回復させる水草定植装置。
【発明の詳細な説明】
【０００１】
【産業上の利用分野】
この発明は湿原帯を再生し水質浄化能を回復させる水草定植装置（以下、「水草定植装置」と記す）に関し、特に、湖・池・川等の護岸近傍に水草（あさざ等）を植えつけ、繁茂させることによって波を打ち消し、浅瀬を作ることにより、湿原帯を再生し、水質浄化能を回復させるために使用されるものである。
【０００２】
【従来の技術】
湖・池・川等の護岸近傍に水草（あさざ等）を繁殖させ、打ち寄せる波を打ち消すことによって、浅瀬を形成し、ひいては、微生物の定着でき小型の魚類を繁殖可能な湿原帯を形成して、湿原帯を再生し、水質浄化能を回復させることにより自然を取り戻そうという考えが本格化してきた。
このため、従来において、湖・池・川等の護岸近傍に水草（あさざ等）を定植させる場合には、予め、素焼きの鉢に水草の苗を植え、この苗を植えた素焼きの鉢を船等によって、定植位置まで運び、その位置で水中に沈めることにより、水草の繁殖を図っていた。
【０００３】
【特許文献１】特開平１１−３１８２４６
【特許文献２】特開平１１−  ５６１３８
【特許文献３】特開２０００−２１７４５２
【０００４】
【発明が解決しようとする課題】
しかしながら、かかる従来における水草苗の定植方法にあっては、水草苗を植えた素焼きの鉢を船等によって定植位置まで運ばねばならないため、定植作業に手間がかかり、また、水草苗は、水中にそのまま残存する素焼きの鉢に植えられているため根の広がりが妨られ、充分に繁殖しにくいという不都合を有した。
【０００５】
この発明の課題はこれらの不都合を解消することである。
【０００６】
【課題を解決するための手段】
上記課題を達成するために、発明者は、湖・池・川等の浮遊物は波によって護岸近傍に寄せられることに着目し、この発明を完成した。
【０００７】
この発明に係る水草定植装置においては、底部に透孔を有する生分解性プラスチック製外枠と、底部に透孔を有する生分解性プラスチック製内枠とを備え、前記生分解性プラスチック製外枠及び前記生分解性プラスチック製内枠の透孔を水溶性栓で塞ぎ、前記生分解性プラスチック製外枠内に前記生分解性プラスチック製内枠を培養土を介して嵌挿し、この生分解性プラスチック製内枠内に培養土を充填するとともにこの培養土に水草苗を植え、当該装置全体として水面に浮遊可能であるため、
湖・池・川等の水面に浮かべるのみで、自然の波、風で漂流し、護岸近傍まで運ばれ、その位置で、まず、前記外枠の透孔（底部の）の水溶性栓が溶けて（浮遊期間を考慮して数日後に溶けるようにしておく）、前記外枠内の培養土と湖・池・川等の水とが連通し、この水草定植装置は水没する。その後、前記内枠の透孔（底部の）の水溶性栓が溶けて（浮遊期間を考慮して数日後に溶けるようにしておく）、前記内枠内の培養土と湖・池・川の水とが連通し、水草苗への水分供給が可能となる。そして、生分解性プラスチック製外枠と生分解性プラスチック製内枠は一定期間後には溶解する。
【０００８】
なお、前記生分解性プラスチック製外枠内の培養土を乾燥培養土とすれば、当該水草定植装置を浮遊しやすくすることができる。
【０００９】
また、前記生分解性プラスチック製外枠内における前記培養土の上方に培養土膨張空間を設ければ、この培養土が水に湿潤した場合に、外枠外に溢れることはなく全て水草苗の培養土として使用することができる。
【００１０】
また、前記生分解性プラスチック製内枠内における前記培養土の表面に浮き上がり防止錘を配置すれば、前記内枠及び水草苗ひいては前記外枠の浮上を防止できるため、水草苗を水底に確実に定植させることができる。
【００１１】
【実施例】
図１はこの発明に係る水草定植装置の断面図、図２は同平面図、図３は同使用説明図である。
【００１２】
図１において、Ａは水草定植装置であり、当初は、水に浮遊するように構成されている。
【００１３】
１０はこの水草定植装置Ａの外枠である。この外枠１０は、従来存在する生分解性プラスチックによって有底円筒状に形成されている。また、１１は上板であり、前記外枠１０の上端に一体形成されている。この上板１１は中心部に開口１２を有している。
【００１４】
次に、１３，１３，…は第一透孔であり、前記外枠１０の底部に形成されている。この第一透孔１３は前記外枠１０の内外を連通している。１４は第一水溶性栓であり、前記第一透孔１３を塞いでいる。この第一水溶性栓１４はでんぷん糊などの数日で水に流出する環境汚染のない水溶性の物質で形成されている。
【００１５】
２０は内枠であり、前記開口（外枠１０の）１２から侵入させ、前記外枠１０内に余裕空間Ｓを介して支持具２１，２１  により設置されている。この内枠２０は、前記外枠１０と同様に従来存在する生分解性プラスチックによって有底円筒状に形成されている。なお、この内枠２０の肉厚は前記外枠１０の肉厚よりも薄く形成されているため、この内枠２０は、水中において前記外枠１０よりも早く溶解する。
【００１６】
３０は第一培養土であり、前記外枠１０内における前記内枠２０の周囲に充填されている。この第一培養土３０はこの水草定植装置Ａが水底に沈んだ後で前記内枠２０が溶解した後に後記水草苗Ｐの生育を確保するためのものである。
【００１７】
この第一培養土３０は乾燥培養土であり、主成分として乾燥泥土と炭とボカシ肥を有している。この泥土としては浄水場より排出される泥土を、この炭としては紙業工場より排出されるくず炭を、ボカシ肥としては有機性資源より作成された堆肥などを原料として使用することで、廃棄物扱いされていた物質を有効利用することも可能である。
【００１８】
３１は培養土膨張空間であり、前記余裕空間Ｓにおける前記第一培養土３０の上方に形成されている。この培養土膨張空間３１は前記第一透孔１３から前記外枠１０内に水が浸入し、第一培養土３０が湿潤膨張したときに、その増加した体積部分を収容するためのものである。
【００１９】
２３は第二透孔（この発明の「透孔」に相当する）であり、前記内枠２０の底部に形成されている。この第二透孔２３は前記内枠２０の内外を連通している。２４は第二水溶性栓であり、前記透孔２３を塞いでいる。この第二水溶性栓２４は前記第一水溶性栓２４と同様に形成されている。
【００２０】
次に、５０は第二培養土であり、前記内枠２０内に充填されている。この第二培養土５０は普通の培養土であり、前記第一培養土３０よりも湿潤である。この第二培養土５０はこの水草定植装置Ａが浮いている間における後記水草苗Ｐの生育を確保するためのものであり、その成分は前記第一培養土３０と同様である。
【００２１】
Ｐは水草苗であり、前記内枠２０の第二培養土５０に植えつけられている。この水草苗Ｐの先端は前記開口（外枠１０の）１２から僅かに突出している。また、６０，６０  ，…は小石（この発明の「浮き上がり防止錘」に相当する）であり、前記内枠２０内における前記第二培養土５０の表面にを配置されている。この小石６０は前記内枠２０及び水草苗Ｐひいては前記外枠１０の浮上を防止して、水草苗Ｐを水底に確実に定植させるようにしている。
【００２２】
図１〜図３に基づいて、この水草定植装置Ａの使用方法を説明する。
図３の右側に示すように、湖等の水面にこの水草定植装置Ａを浮かべる。すると、水草定植装置Ａは波によって数日間（約３〜４日間）漂流し、最終的に岸壁Ｒ近傍に打ち寄せられる。この位置で、水草定植装置Ａの外枠１０の第一水溶性栓１４が溶解して第一透孔１３を介して水が前記外枠１０内に浸入し、第一培養土３０が湿潤膨張して、この水草定植装置Ａは水没して水底に達する。その後、前記内枠２０の第二水溶性栓２４が融解して第二透孔２３を介して水が前記内枠２０内に浸入し、第二培養土５０に供給される。
【００２３】
この状態で、水草苗Ｐは生育し、ある程度生育した後前記内枠２０が水に溶解し、この状態で更に水草苗Ｐが生育した後前記外枠１０が水に溶解する。そして、最終的には、この水草苗Ｐは湖等の水底に繁殖する。
【００２４】
【発明の効果】
この発明に係る水草定植装置は、底部に透孔を有する生分解性プラスチック製外枠と、底部に透孔を有する生分解性プラスチック製内枠とを備え、前記生分解性プラスチック製外枠及び前記生分解性プラスチック製内枠の透孔を水溶性栓で塞ぎ、前記生分解性プラスチック製外枠内に前記生分解性プラスチック製内枠を培養土を介して嵌挿し、この生分解性プラスチック製内枠内に培養土を充填するとともにこの培養土に水草苗を植え、当該装置全体として水面に浮遊可能であるため、
湖・池・川等の水面に浮かべるのみで、自然の波、風で漂流し、護岸近傍まで運ばれ、その位置で、まず、前記外枠の透孔（底部の）の水溶性栓が溶けて（浮遊期間を考慮して数日後に溶けるようにしておく）、前記外枠内の培養土と湖・池・川等の水とが連通し、この水草定植装置は水没する。その後、前記内枠の透孔（底部の）の水溶性栓が溶けて（浮遊期間を考慮して数日後に溶けるようにしておく）、前記内枠内の培養土と湖・池・川の水とが連通し、水草苗への水分供給が可能となる。そして、生分解性プラスチック製外枠と生分解性プラスチック製内枠は一定期間後には溶解する。
【００２５】
よって、この水草定植装置を使用すれば、従来のように、水草苗を植えた素焼きの鉢を船等によって定植位置まで運ぶ必要がないため、定植作業に手間がかからず、何人でもその作業能率を上げることができる。また、前記外枠および前記内枠は水中において一定期間後に分解するため、水草苗の根が広がりを妨げることはない結果その繁殖を阻害しないものである。また、浅瀬を作ることにより、湿原帯を再生し、水質浄化能を回復させることができる。
【００２６】
なお、前記生分解性プラスチック製外枠内の培養土を乾燥培養土とすれば、当該水草定植装置を浮遊しやすくすることができる。
【００２７】
また、前記生分解性プラスチック製外枠内における前記培養土の上方に培養土膨張空間を設ければ、この培養土が水に湿潤した場合に、外枠外に溢れることはなく全て水草苗の培養土として使用することができる。
【００２８】
また、前記生分解性プラスチック製内枠内における前記培養土の表面に浮き上がり防止錘を配置すれば、前記内枠及び水草苗ひいては前記外枠の浮上を防止できるため、水草苗を水底に確実に定植させることができる。
【図面の簡単な説明】
【図１】この発明に係る水草定植装置の断面図である。
【図２】同平面図である。
【図３】同使用説明図である。
【符号の説明】
Ａ  …  水草定植装置
Ｐ  …  水草苗
Ｓ  …  余裕空間
１０  …  外枠
１１    …    外枠上板
１２    …    外枠開口部
１３  …  第一透孔（透孔）
１４  …  第一水溶性栓（水溶性栓）
２０  …  内枠
２１    …    支持具
２３    …  第二透孔（透孔）
２４  …  第二水溶性栓（水溶性栓）
３０  …  第一培養土（培養土）
３１  …  培養土膨張空間
５０  …  第二培養土（培養土）
６０  …  小石（浮き上がり防止錘）
【図１】
2004173608.tif 000003
【図２】
2004173608.tif 000004
【図３】
2004173608.tif 000005